(57)【要約】  【課題】  支持体と握持体とを簡単に、かつ確実に固定して握持体が自由に回転してしまうおそれのないショベル・スコップの把手を提供する。  【解決手段】  ショベル・スコップの把手１の支持体３と握持体４とを固定する固定釘５の座面７ａ側に、支持体３の鋼板を押圧して木製の握持体４へ噛み込ませる突起片９を形成する。そして、支持体３と握持体４とを固定する場合には、支持体３の遊端部３ａ間に握持体４を挟持させた後、支持体３の遊端部３ａ側方より握持体４へ向けて固定釘５を打ち込んでいくと、固定釘５の座面７ａ側に形成した突起片９が支持体３の鋼板を押圧していって、やがて鋼板ごと木製の握持体４へ噛み込んでいき、支持体３と握持体４とを強固に固定する。【選択図】  図２
2005248530.tif 000002
【特許請求の範囲】
【請求項１】
鋼板を折曲加工して略Ｙ字形状の支持体を形成し、該支持体の一対の遊端部間に木製棒状の握持体を挟持させると共に、支持体の遊端部側方より握持体へ向けて固定釘を打ち込んで固定して成るショベル・スコップの把手であって、前記固定釘の座面側には支持体の鋼板を押圧して木製の握持体へ噛み込ませるための噛込部を形成したことを特徴とするショベル・スコップの把手。
【請求項２】
前記固定釘の噛込部は少なくとも一つ以上の突起片から成ることを特徴とする請求項１記載のショベル・スコップの把手。
【請求項３】
前記固定釘の噛込部は釘棒本体の座面との接合部を断面多角形状に形成して成ることを特徴とする請求項１記載のショベル・スコップの把手。
【発明の詳細な説明】
【技術分野】
【０００１】
本発明は、土木作業や園芸作業などに使用するショベル・スコップの把手に関し、特に鋼板を折曲加工して略Ｙ字形状の支持体を形成し、該支持体の一対の遊端部間に木製棒状の握持体を挟持させると共に、支持体の遊端部側方より握持体へ向けて固定釘を打ち込んで固定して成るショベル・スコップの把手に関する。
【背景技術】
【０００２】
現在出回っているショベル・スコップの把手の多くは、上記のように、木製棒状の握持体を鋼製の支持体の遊端部間に挟持させ、その遊端部側方より支持体の鋼板を貫いて握持体の略中心部へ固定釘を打ち込むことで固定しているが、この固定方法では、図６に示すように、握持体１０４と固定釘１０５とは固定されるものの、握持体１０４と支持体１０３の遊端部１０３ａとは十分に固定されず、使用時の衝撃などにより、握持体１０４が固定釘１０５を中心として自由に回転してしまう状態となることがあった。そして、握持体１０４がこのような状態になってしまうと、当然のことながら使用するのに支障を来すこととなる。
【０００３】
このような問題に対し、例えば、支持体の遊端部の内側に複数の突起を形成すると共に、握持体の両側面には前記突起を嵌入させるための嵌入溝を設けておき、支持体の遊端部間に握持体を挟持させると、握持体の嵌入溝へ支持体の突起が嵌り込み、支持体と握持体とが確実に固定されて握持体が自由に回転しないようにしたショベル・スコップの把手がある（特許文献１参照）。
【特許文献１】実公昭３３−１５２６１号
【発明の開示】
【発明が解決しようとする課題】
【０００４】
しかしながら、上記のショベル・スコップの把手にあっては、その製造工程において、支持体と握持体にそれぞれ突起や嵌入溝を形成する工程や、それらを嵌め合わす工程が必要であって、実施するには大層である。
【０００５】
本発明は上記の点に鑑み、支持体と握持体とを簡単に、かつ確実に固定して握持体が自由に回転してしまうおそれのないショベル・スコップの把手を提供することを課題とする。
【課題を解決するための手段】
【０００６】
本発明は上記の課題を解決するために、請求項１記載のショベル・スコップの把手にあっては、鋼板を折曲加工して略Ｙ字形状の支持体を形成し、該支持体の一対の遊端部間に木製棒状の握持体を挟持させると共に、支持体の遊端部側方より握持体へ向けて固定釘を打ち込んで固定して成るショベル・スコップの把手であって、前記固定釘の座面側には支持体の鋼板を押圧して木製の握持体へ噛み込ませるための噛込部を形成したことを特徴としている。
【０００７】
また、請求項２記載のショベル・スコップの把手にあっては、前記固定釘の噛込部は少なくとも一つ以上の突起片から成ることを特徴としている。
【０００８】
また、請求項３記載のショベル・スコップの把手にあっては、前記固定釘の噛込部は釘棒本体の座面との接合部を断面多角形状に形成して成ることを特徴としている。
【発明の効果】
【０００９】
以上のように本発明に係る請求項１記載のショベル・スコップの把手によれば、鋼板を折曲加工して略Ｙ字形状の支持体を形成し、該支持体の一対の遊端部間に木製棒状の握持体を挟持させると共に、支持体の遊端部側方より握持体へ向けて固定釘を打ち込んで固定して成るショベル・スコップの把手であって、前記固定釘の座面側には支持体の鋼板を押圧して木製の握持体へ噛み込ませるための噛込部を形成したので、支持体と握持体とを簡単に、かつ確実に固定して握持体が自由に回転してしまうようなおそれがなく、長期に亘って好適な使い勝手を維持することができる。
【００１０】
また、請求項２記載のショベル・スコップの把手によれば、前記固定釘の噛込部は少なくとも一つ以上の突起片から成るので、固定釘を支持体の上から握持体へと打ち込めば、それに伴って前記突起片が支持体の鋼板を押圧して木製の握持体へと噛み込み、支持体と握持体とを確実に固定して握持体が自由に回転してしまうようなおそれがない。
【００１１】
また、請求項３記載のショベル・スコップの把手によれば、前記固定釘の噛込部は釘棒本体の座面との接合部を断面多角形状に形成して成るので、固定釘を支持体の上から握持体へと打ち込めば、それに伴って釘棒本体の断面多角形状の部分が支持体の鋼板を押圧して木製の握持体へと噛み込み、支持体と握持体とを確実に固定して握持体が自由に回転してしまうようなおそれがない。
【発明を実施するための最良の形態】
【００１２】
本発明に係る請求項１記載のショベル・スコップの把手によれば、支持体と握持体とを固定する固定釘の座面側に、支持体の鋼板を押圧して木製の握持体へ噛み込ませる噛込部を形成する。そして、支持体と握持体とを固定する場合には、支持体の遊端部間に握持体を挟持させた後、支持体の遊端部側方より握持体へ向けて前記固定釘を打ち込んでいく。このとき、固定釘の釘棒本体が支持体の鋼板を貫いて握持体内部へと没入していき、最終的に座面側が支持体に接する位置まで打ち込まれると、座面側に形成した噛込部が支持体の鋼板を押圧していって、やがて鋼板ごと木製の握持体へ噛み込んでいく。
【００１３】
このように、座面側へ噛込部を形成した固定釘を支持体と握持体に打ち込むだけで、支持体と握持体とを確実に固定して握持体が自由に回転してしまうおそれがなく、使い勝手や作業性を長期に亘って好適な状態のまま維持することができる。
【００１４】
また、請求項２記載のショベル・スコップの把手によれば、固定釘の座面側に形成する噛込部を少なくとも一つ以上の突起片にて構成する。そして、支持体と握持体とを固定する場合に、この固定釘を打ち込んでいくと、それに伴って固定釘の座面側に形成した突起片が支持体の鋼板を押圧していき、やがて鋼板ごと木製の握持体へ噛み込んでいって確実に固定される。
【００１５】
また、請求項３記載のショベル・スコップの把手によれば、固定釘の座面側に形成する噛込部として、釘棒本体の座面との接合部を断面多角形状にて構成する。そして、支持体と握持体とを固定する場合に、この固定釘を打ち込んでいくと、それに伴って固定釘の座面側に形成した断面多角形状の角部分が支持体の鋼板を押圧していき、やがて鋼板ごと木製の握持体へ噛み込んでいって確実に固定される。
【実施例】
【００１６】
以下、本発明の実施例を図面に基づいて説明する。
【００１７】
図中の１は、木製の柄体２の一端部に接続される、本発明のショベル・スコップの把手であって、鋼板を折曲加工して、図１に示すように、略Ｙ字形状に形成した支持体３と、作業者が実際に手で掴む木製棒状の握持体４とを主体に構成しており、これら支持体３、及び握持体４は、従来から普通に用いられている構造のものである。前記握持体４は、支持体３の一対の遊端部３ａ間に挟持させていると共に、支持体３の遊端部３ａ側方より握持体４の略中心位置へ向けて固定釘５を打ち込んで固定している。
【００１８】
前記固定釘５は、釘棒本体６と頭部７とから成り、釘棒本体６の先端側の周囲には木製の握持体４へスムーズに打ち込めるようにスクリュー状に溝８が刻設してある。また、頭部７の座面７ａ側には、図２に示すように、遊端部３ａの鋼板を押圧して木製の握持体４へと噛み込ませるための噛込部として、座面７ａと釘棒本体６とに掛け渡すように形成した一対の突起片９を、釘棒本体６を挟んで対向位置に形成している。
【００１９】
しかして、支持体３と握持体４とを固定釘５にて固定する場合には、支持体３の一対の遊端部３ａ間に握持体４を挟持させた後、支持体３の遊端部３ａ側方より握持体４へ向けて固定釘５を打ち込んでいく。このとき、釘棒本体６は、スクリュー状に切られた溝８により、スムーズに遊端部３ａの鋼板を貫いて木製の握持体４内部へと没入していく。そして、固定釘５頭部７の座面７ａ側が支持体３の遊端部３ａの鋼板に接する位置までくると、座面７ａ側に形成した一対の突起片９が遊端部３ａの鋼板を握持体４方向へ次第に押圧していき、やがて鋼板ごと木製の握持体４へ噛み込んでいって固定される。このとき、固定釘５と握持体４とは勿論のこと、支持体３の遊端部３ａとも強固に固定がなされるので、作業時の衝撃などによって握持体４が自由に回転してしまう状態となるおそれはない。
【００２０】
このように、従来より用いられている通常の支持体３と握持体４を採用する一方、これらに噛込部である突起片９を備えた固定釘５を従来通りに打ち込むだけで支持体３と握持体４とを強固に固定することができるため、握持体４が自由に回転してしまうようなおそれもなく、長期に亘って使い勝手の良いショベル・スコップを提供することができる。
【００２１】
なお、本実施例においては、一対の突起片９を釘棒本体６を挟んだ対向位置に形成しているが、三つ乃至四つ程度の突起片９を座面７ａに形成するようにしても良い。また、本実施例においては、突起片９を釘棒本体６と座面７ａとに掛け渡すように略三角形状にて形成しているが、特にこれに限定するものではなく、釘棒本体６から離して座面７ａのみに突設させたものや、形状も四角形状としたものなどでも良く、要は固定釘５を最後まで打ち込んだ際に、突起片９が支持体３の遊端部３ａの鋼板を押圧して、木製の握持体４へと噛み込んで固定されるような構造であれば良い。
【００２２】
また、固定釘５の座面７ａ側に形成する噛込部として、突起片９に代えて、凹凸を設けたり、ギザギザに形成したりしても良く、また或いは釘棒本体６の座面７ａとの接合部１０を断面多角形状に、例えば図４に示すように断面四角形状に形成するようにしても良く、この場合には、固定釘５を打ち込んだ際に、前記釘棒本体６の接合部１０の角部分が支持体３の遊端部３ａの鋼板を押圧し、突起片９の場合と同様に鋼板ごと木製の握持体４へ噛み込んでいって確実に固定がなされる。なお、この場合、釘棒本体６の座面７ａとの接合部１０を、断面四角形状以外に、断面三角形状や断面六角形状などのものでも良いことは勿論である。
【００２３】
また、固定釘５の座面７ａ側に形成した噛込部は、固定釘５の頭部７のリブ的役割も成し、その結果、頭部７の厚みを通常よりも薄くすることが可能となり、支持体３の遊端部３ａ側方より突出する部分を極力減らすことができて引っかかりなどを無くせると共に、見た目にもすっきりして意匠的にも好ましいものとすることができるといった格別な効果も発揮することができる。そして、図５に示すものは、固定釘５の頭部７´そのものを略四角形状に形成したものであって、その座面７ａ´側はテーパ状に形成しており、これであれば固定釘５の頭部７´全てを打ち込むことができ、頭部７´の突出する部分を完全になくすことができてより好ましい。なお、この場合も、固定釘５の頭部７´の形状として、断面三角形状や断面六角形状などのものでも良いことは勿論である。
【産業上の利用可能性】
【００２４】
ショベル・スコップの把手に限らず、木材や樹脂などの部材に釘を打ち込み、その部材の回転やぐらつきなどを抑えたいといったあらゆる用途に適用することができる。
【図面の簡単な説明】
【００２５】
【図１】本発明に係るショベル・スコップの把手の一部を切り欠いた正面図である。
【図２】図１の要部拡大図である。
【図３】固定釘の頭部の拡大図、及び断面図である。
【図４】別の実施例の図３に相当する図である。
【図５】更に、別の実施例の図３に相当する図である。
【図６】従来例の図２に相当する図である。
【符号の説明】
【００２６】
１…把手                          ２…柄体
３…支持体                        ３ａ…遊端部
４…握持体                        ５…固定釘
６…釘棒本体                      ７、７´…頭部
７ａ、７ａ´…座面                ８…溝
９…突起片（噛込部）              １０…接合部（噛込部）
【図１】
2005248530.tif 000003
【図２】
2005248530.tif 000004
【図３】
2005248530.tif 000005
【図４】
2005248530.tif 000006
【図５】
2005248530.tif 000007
【図６】
2005248530.tif 000008